(57)【要約】【課題】着座部の温度分布を均一にすることができる暖房便座を提供する。【解決手段】内部に空洞１を有する便座ケース２と、該便座ケース２の空洞１内に該空洞１の長手方向に沿って伸びる輻射ヒータ３と、空洞１内の輻射ヒータ３の下方に配置され該輻射ヒータ３からの輻射を空洞１の天面部に反射するリフレクタ４と、を備えた暖房便座５である。輻射ヒータ３直上の天面部又はリフレクタ４の輻射ヒータ３直下の部分に、輻射ヒータ３に向けて凸形状となり輻射ヒータ３からの輻射を輻射ヒータ３直上及び直下以外の側方に反射させる凸形状リフレクタ６を設けた。【選択図】        図１
2010051409.tif 000002
【特許請求の範囲】
【請求項１】
内部に空洞を有する便座ケースと、該便座ケースの空洞内に該空洞の長手方向に沿って伸びる輻射ヒータと、空洞内の輻射ヒータの下方に配置され該輻射ヒータからの輻射を空洞の天面部に反射するリフレクタと、を備えた暖房便座において、輻射ヒータ直上の天面部又は／及びリフレクタの輻射ヒータ直下の部分に、輻射ヒータに向けて凸形状となり輻射ヒータからの輻射を輻射ヒータ直上及び直下以外の側方に反射させる凸形状リフレクタを設けて成ることを特徴とする暖房便座。
【請求項２】
前記凸形状リフレクタをリフレクタの輻射ヒータ直下の部分に設けて成ることを特徴とする請求項１記載の暖房便座。
【請求項３】
前記凸形状リフレクタを輻射ヒータ直上の天面部に設けて成ることを特徴とする請求項１又は２記載の暖房便座。
【発明の詳細な説明】
【技術分野】
【０００１】
本発明は、便座の内部の空洞に輻射ヒータが配設される暖房便座に関するものである。
【背景技術】
【０００２】
従来より、便座の内部の空洞に輻射ヒータが配設され、輻射ヒータからの輻射により便座の着座部が速やかに加熱される暖房便座が知られている（例えば特許文献１参照）。
【特許文献１】特開２００６−３４３１１号公報
【発明の開示】
【発明が解決しようとする課題】
【０００３】
上記暖房便座５は、図６に示すように、便座ケース２の内部の空洞１の中央部に該空洞１の長手方向に沿って伸びる輻射ヒータ３が配設される共に、空洞１の底面部にリフレクタ４が配設され、輻射ヒータ３からの直接の輻射とリフレクタ４で反射する輻射とが、着座部となる前記空洞１の天面部に照射されることで、着座部が加熱される。
【０００４】
この時、天面部の輻射ヒータ３直上の部分は、輻射ヒータ３からの直接の輻射が垂直に近い入射角で天面部に入射するためエネルギー密度が大きくなるうえ、リフレクタ４で反射してから入射する輻射も同様にエネルギー密度が大きく、これに対し、天面部の輻射ヒータ３直上から離れた部分には輻射が小さい入射角で入射するためエネルギー密度が小さい。このため、天面部の輻射ヒータ３直上の部分は吸収される輻射が多くて過熱され、着座部の輻射ヒータ３直上から離れた部分は吸収される輻射が少なくて冷たくなり、着座部の温度分布が不均一となってしまう、という問題があった。
【０００５】
本発明は上記従来の問題点に鑑みて発明したものであって、その目的とするところは、着座部の温度分布を均一にすることができる暖房便座を提供することを課題とするものである。
【課題を解決するための手段】
【０００６】
上記課題を解決するために請求項１に係る発明は、内部に空洞１を有する便座ケース２と、該便座ケース２の空洞１内に該空洞１の長手方向に沿って伸びる輻射ヒータ３と、空洞１内の輻射ヒータ３の下方に配置され該輻射ヒータ３からの輻射を空洞１の天面部に反射するリフレクタ４と、を備えた暖房便座５である。輻射ヒータ３直上の天面部又は／及びリフレクタ４の輻射ヒータ３直下の部分に、輻射ヒータ３に向けて凸形状となり輻射ヒータ３からの輻射を輻射ヒータ３直上及び直下以外の側方に反射させる凸形状リフレクタ６を設けてなる。
【０００７】
また、請求項２に係る発明は、請求項１に係る発明において、前記凸形状リフレクタ６をリフレクタの輻射ヒータ３直下の部分に設けてなる。
【０００８】
また、請求項３に係る発明は、請求項１又は２に係る発明において、前記凸形状リフレクタ６を輻射ヒータ３直上の天面部に設けてなる。
【発明の効果】
【０００９】
本発明にあっては、凸形状リフレクタにより輻射ヒータからの輻射を輻射ヒータから離れる方向に反射させることができて、着座部の輻射ヒータ直上の部分で吸収される輻射が減少すると共に、着座部の輻射ヒータ直上から離れた部分で吸収される輻射が増加し、着座部の温度分布を均一にすることができる。
【発明を実施するための最良の形態】
【００１０】
以下、本発明の一実施形態について添付図面に基づいて説明する。
【００１１】
暖房便座５は、図示しないが、その後端部が便器本体の後部に回動自在に設けられ、便蓋とともに便器を構成している。また、便蓋もその後端部が便器本体の後部に回動自在に設けられている。なお、便器本体に局部洗浄装置や脱臭装置が組み込まれていてもよく、また、便器本体の後部に前記装置が取り付けてあると共に、該装置に暖房便座５や便蓋の後端部が回動自在に取り付けてあってもよい。
【００１２】
暖房便座５は、図５に示すように、平面視略Ｏ字状や略Ｕ字状（本実施形態では略Ｏ字状）をしたもので、図１に示すように、内部に空洞１を有する便座ケース２と、便座ケース２の空洞１内に配置され輻射エネルギを放射する輻射ヒータ３と、空洞１の底面部に配設されるリフレクタ４と、商用電源等の電源に接続され輻射ヒータ３に電力を供給する電力供給部（図示せず）と、を備える。暖房便座５の便座ケース２は、合成樹脂からなる上ケース２１と下ケース２２の２つの部材を、それぞれの内周縁および外周縁で溶着接合することにより形成され、その内部には水等の浸入を阻止できる密閉された空洞１を有する構造としてある。本実施形態では、上ケース２１の断面形状は下方に開口する横長の略逆Ｕ字状に形成してあり、下ケース２２の断面形状は略直線状に形成してあり、上ケース２１と下ケース２２とを合わせた全体の断面形状は偏平状をしている。また、便座ケースは、剛性を有する構造矩体として機能するようになっており、空洞１の天面部となる上ケース２１の上壁が着座部となる。
【００１３】
上ケース２１は、図示しないが、例えばカーボンブラックを含有させてなる輻射吸収層が形成してあり、さらに表面（上面）に表面硬度、耐薬品性能、光沢等を考慮した光遮断層である表面化粧層が形成されていて、輻射吸収層及び表面化粧層は輻射ヒータ３から放射された輻射エネルギを効率良く吸収し、熱容量が非常に小さくて瞬時に昇温すると同時に、放射可視光を完全に遮蔽する。
【００１４】
輻射ヒータ３は、本実施形態では、ガラス管の内部にタングステンからなるフィラメントが貫通され、ハロゲンガスが封入されたランプヒータで、その長手方向が空洞１の長手方向に沿って伸びるように空洞１の略中央部に配設される。輻射ヒータ３は、フィラメントの発熱に伴ってハロゲン化タングステンを形成するハロゲンサイクル反応を繰り返すことにより、フィラメントの消耗を防止するよう作用するため、熱容量の非常に小さいフィラメントを熱源とすることができ、極めて温度上昇の急峻な立ち上がりを行わせることができる。この輻射ヒータ３は、本実施形態では、図示しないが弾性材であるゴムブッシュを有する輻射ヒータ３の固定具によりリフレクタ４に固定され、リフレクタ４はゴム足を介して便座ケース２の下ケース２２に固定されている。
【００１５】
輻射ヒータ３の近傍には、輻射ヒータ３と電気的に直列接続されたサーモスタットおよび温度ヒューズが設けられ、温度過昇を防止するよう作用する。
【００１６】
暖房便座５のリフレクタ４は、アルミニウム板やアルミニウムシートやアルミニウムテープ等からなり、本実施形態では図１に示すように空洞１の底面部すなわち下ケース２２の上面に接着剤やビス等で固定されるが、少なくとも輻射ヒータ３の下方に配置され、該輻射ヒータ３からの輻射を空洞１の天面部に反射するものであればよい。
【００１７】
本発明では、輻射ヒータ３直上の天面部又はリフレクタ４の輻射ヒータ３直下の部分に、凸形状リフレクタ６が設けられる。凸形状リフレクタ６は、輻射ヒータ３に向けて凸形状となり、輻射ヒータ３からの輻射を輻射ヒータ３から離れる方向に反射させて、天面部の輻射ヒータ３から離れた部分に入射させるもので、本実施形態では、空洞１及び輻射ヒータ３の長手方向と垂直な断面において、リフレクタ４の輻射ヒータ３直下の部分に、上方に凸形状となる断面三角形状をした凸形状リフレクタ６ａが設けてある。
【００１８】
本実施形態のような凸形状リフレクタ６ａを設けることで、輻射ヒータ３からの輻射が凸形状リフレクタ６ａの傾斜面６１に入射すると、該傾斜面６１により外側方に反射されて、天面部の輻射ヒータ３直上から離れた部分に照射される。これにより、従来、輻射ヒータ３直下で反射して輻射ヒータ３直上の着座部で吸収されていた輻射が減少すると共に、凸形状リフレクタ６ａで反射して着座部の輻射ヒータ３直上から離れた部分で吸収される輻射が増加し、着座部の温度分布が均一になるものである。
【００１９】
凸形状リフレクタ６の他の実施形態としては、図２に示すように、空洞１及び輻射ヒータ３の長手方向と垂直な断面において、輻射ヒータ３直上の天面部に、下方に凸形状となる断面三角形状をした凸形状リフレクタ６ｂが設けてある。
【００２０】
本実施形態のような凸形状リフレクタ６ｂを設けることで、輻射ヒータ３からの輻射が凸形状リフレクタ６ｂの傾斜面６１に入射すると、該傾斜面６１により外側方に反射されて、天面部の輻射ヒータ３直上から離れた部分に照射される。これにより、従来と比較して、着座部（天面部）の輻射ヒータ３直上の部分で吸収される輻射が減少すると共に、着座部の輻射ヒータ３直上から離れた部分で吸収される輻射が増加し、着座部の温度分布が均一になるものである。
【００２１】
また他の実施形態として、図３に示すように、凸形状リフレクタ６（６ａ、６ｂ）が、輻射ヒータ３直上の天面部と、リフレクタ４の輻射ヒータ３直下の部分と、の両方に設けてあってもよく、これにより、輻射ヒータ３直上の着座部で吸収されていた輻射が減少すると共に、凸形状リフレクタ６（６ａ、６ｂ）で反射して着座部の輻射ヒータ３直上から離れた部分で吸収される輻射が増加し、着座部の温度分布が均一になる、という効果がより一層得られる。
【００２２】
他の実施形態について図４に基づいて説明する。
【００２３】
本実施形態では、空洞１及び輻射ヒータ３の長手方向に垂直な断面において、輻射ヒータ３が空洞の略中央部から左右に偏心した位置に配設してある。これは、平面視において便座ケース２の中央側となる、便座ケース２の左右の一側方に偏った位置に輻射ヒータ３が配設してあり、人体が着座される部分がより温まるようにしたものである。
【００２４】
この場合も、輻射ヒータ３直上の天面部により多くの輻射が吸収されるため、リフレクタ４上に断面三角形状の凸形状リフレクタ６ｃを設けて着座部の温度分布の均一化を図るものである。しかしながら、輻射ヒータ３は上述したように便座ケース２の左右の一側方に偏っているため、凸形状リフレクタ６ｃにより輻射ヒータ３が偏っている側と反対側により多くの輻射を反射させる方が、温度分布をより均一化させる上で好ましい。そこで、本実施形態では、輻射ヒータ３が偏っている側（図では右側）と反対側（図では左側）に輻射を反射させる傾斜面６１ａを、輻射ヒータ３直下よりも輻射ヒータ３が偏っている側にずれた位置にまで設けている。これにより、輻射ヒータ３の直下よりも輻射ヒータ３が偏っている側にずれた方向への輻射も、輻射ヒータ３が偏っている側と反対側に反射させることができて、温度分布をより均一化させることができる。
【００２５】
また、リフレクタ４の端部４１を、先端側程上方に位置するように傾斜させることで、輻射ヒータ３から端部４１に入射する輻射を天面部の輻射ヒータ３直上から離れた部分に照射させて、この部分で吸収される輻射をより一層増加させることができる。
【図面の簡単な説明】
【００２６】
【図１】本発明の一実施形態の断面図である。
【図２】他の実施形態の断面図である。
【図３】更に他の実施形態の断面図である。
【図４】更に他の実施形態の断面図である。
【図５】暖房便座の斜視図である。
【図６】従来例の断面図である。
【符号の説明】
【００２７】
１    空洞
２    便座ケース
２１  上ケース
２２  下ケース
３    輻射ヒータ
４    リフレクタ
５    暖房便座
６    凸形状リフレクタ
６１  傾斜面
【図１】
2010051409.tif 000003
【図２】
2010051409.tif 000004
【図３】
2010051409.tif 000005
【図４】
2010051409.tif 000006
【図５】
2010051409.tif 000007
【図６】
2010051409.tif 000008